(57)【要約】【課題】確実に所定の動作を行うように制御することができる電子装置および電子装置システムを提供すること。【解決手段】入力光に含まれる所定の波長成分を有する光を選択する光選択部と、前記光選択部が選択した光を受光し、該受光した光を電流に変換する光電変換部と、前記変換した電流を基に制御信号を出力するように動作する制御部と、前記制御部が出力した制御信号によって制御されることにより、所定の動作を行う動作部と、を備える電子装置。【選択図】図２
2015152495.tif 000002
【特許請求の範囲】
【請求項１】
入力光に含まれる所定の波長成分を有する光を選択する光選択部と、
前記光選択部が選択した光を受光し、該受光した光を電流に変換する光電変換部と、
前記変換した電流を基に制御信号を出力するように動作する制御部と、
前記制御部が出力した制御信号によって制御されることにより、所定の動作を行う動作部と、
を備えることを特徴とする電子装置。
【請求項２】
前記入力光を受光して電力を発生する光起電力発生部を備え、
前記動作部または前記制御部は、前記光起電力発生部で発生した電力を供給されることを特徴とする請求項１に記載の電子装置。
【請求項３】
１もしくは複数の前記動作部を備え、
前記光選択部は、前記入力光に含まれる互いに異なる波長成分を有する光を選択し、
前記光電変換部は、前記光選択部が選択した各光を受光し、該受光した各光を電流に変換し、
前記制御部は、前記光電変換部が変換した各電流を基に、前記１もしくは複数の動作部に対して前記各電流の組み合わせに応じた特定の動作をさせる前記制御信号を出力することを特徴とする請求項１または２に記載の電子装置。
【請求項４】
入力光に含まれる所定の波長成分を有する光を選択する光選択部と、
前記光選択部が選択した光を受光して電力を発生する光起電力発生部と、
前記光起電力発生部で発生した電力を供給されて制御信号を出力するように動作する制御部と、
前記光起電力発生部から電力を供給されかつ前記制御部が出力した制御信号によって制御されることにより、所定の動作を行う動作部と、
を備えることを特徴とする電子装置。
【請求項５】
１もしくは複数の前記動作部を備え、
前記光選択部は、前記入力光に含まれる互いに異なる波長成分を有する光を選択し、
前記光起電力発生部は、前記光選択部が選択した各光を受光して電力を発生し、
前記制御部は、前記光起電力発生部が発生した各電力を基に、前記１もしくは複数の動作部に対して前記各電力の組み合わせに応じた特定の動作をさせる前記制御信号を出力することを特徴とする請求項４に記載の電子装置。
【請求項６】
前記光起電力発生部で発生した電力を蓄電するための蓄電部を備えることを特徴とする請求項２、請求項２を引用する請求項３〜５のいずれか一つに記載の電子装置。
【請求項７】
前記動作部は、前記所定の波長成分に対応してあらかじめ設定された情報を出力する動作を行うことを特徴とする請求項１〜６のいずれか１つに記載の電子装置。
【請求項８】
前記動作部は、センサを備え、
前記センサは、前記制御信号によって制御されて測定対象の物性値を測定することを特徴とする請求項１〜７のいずれか１つに記載の電子装置。
【請求項９】
前記動作部の前記動作の結果を記憶する記憶部を備えることを特徴とする請求項１〜８のいずれか一つに記載の電子装置。
【請求項１０】
前記動作の結果の情報を無線信号として送信する通信部を備えることを特徴とする請求項１〜９のいずれか一つに記載の電子装置。
【請求項１１】
前記通信部は、外部から要求に従って前記無線信号を送信することを特徴とする請求項１０に記載の電子装置。
【請求項１２】
請求項１０または１１に記載の電子装置と、
前記電子装置が出力した前記無線信号を受信する受信装置と、
を備えることを特徴とする電子装置システム。
【発明の詳細な説明】
【技術分野】
【０００１】
本発明は、光起電力発生部を備える電子装置及び電子装置システムに関する。
【背景技術】
【０００２】
人の手が届きにくい場所等にセンサを設置して温度や湿度等の物性値の測定を行う測定装置において、マイクロ波によってワイヤレス給電を行う技術が開示されている（特許文献１参照）。
【０００３】
また、近年、情報を記憶させたＲＦタグにより、主にマイクロ波以下の周波数における近距離の無線通信を行うＲＦＩＤ（Ｒａｄｉｏ  Ｆｒｅｑｕｅｎｃｙ  ＩＤｅｎｔｉｆｉｃａｔｉｏｎ）を用いて、情報を管理する技術が開示されている（特許文献１参照）。
【先行技術文献】
【特許文献】
【０００４】
【特許文献１】特開２０１２−５０１８３号公報
【特許文献２】特開２００１−２０９７６５号公報
【発明の概要】
【発明が解決しようとする課題】
【０００５】
しかしながら、マイクロ波によるワイヤレス給電の場合は、比較的微少電力の給電しか行うことができない。したがって、使用する電子装置（たとえばセンサ）としても低消費電力のものに限定されていたという問題がある。
【０００６】
特許文献２には、発光部と受光部とを近接させてワイヤレス給電を行なう技術が開示されている。しかしながら、人の手が届きにくい場所等に動作させるべき電子装置を設置する場合には、当該電子装置に意図しない光が入力された場合にも電子装置が作動してしまい、誤動作するおそれがあるという問題がある。
【０００７】
また、ＲＦＩＤにおけるＲＦタグでは、ひとつの場所に多くのＲＦタグが置かれていた場合、それら一つ一つを対応させながら識別し、情報を取得することが難しいという問題がある。
【０００８】
本発明は、上記に鑑みてなされたものであって、確実に所定の動作を行うように制御することができる電子装置および電子装置システムを提供することを目的とする。
【課題を解決するための手段】
【０００９】
上述した課題を解決し、目的を達成するために、本発明に係る電子装置は、入力光に含まれる所定の波長成分を有する光を選択する光選択部と、前記光選択部が選択した光を受光し、該受光した光を電流に変換する光電変換部と、前記変換した電流を基に制御信号を出力するように動作する制御部と、前記制御部が出力した制御信号によって制御されることにより、所定の動作を行う動作部と、を備えることを特徴とする。
【００１０】
本発明に係る電子装置は、上記発明において、前記入力光を受光して電力を発生する光起電力発生部を備え、前記動作部または前記制御部は、前記光起電力発生部で発生した電力を供給されることを特徴とする。
【００１１】
本発明に係る電子装置は、上記発明において、１もしくは複数の前記動作部を備え、前記光選択部は、前記入力光に含まれる互いに異なる波長成分を有する光を選択し、前記光電変換部は、前記光選択部が選択した各光を受光し、該受光した各光を電流に変換し、前記制御部は、前記光電変換部が変換した各電流を基に、前記１もしくは複数の動作部に対して前記各電流の組み合わせに応じた特定の動作をさせる前記制御信号を出力することを特徴とする。
【００１２】
本発明に係る電子装置は、入力光に含まれる所定の波長成分を有する光を選択する光選択部と、前記光選択部が選択した光を受光して電力を発生する光起電力発生部と、前記光起電力発生部で発生した電力を供給されて制御信号を出力するように動作する制御部と、前記光起電力発生部から電力を供給されかつ前記制御部が出力した制御信号によって制御されることにより、所定の動作を行う動作部と、を備えることを特徴とする。
【００１３】
本発明に係る電子装置は、上記発明において、１もしくは複数の前記動作部を備え、前記光選択部は、前記入力光に含まれる互いに異なる波長成分を有する光を選択し、前記光起電力発生部は、前記光選択部が選択した各光を受光して電力を発生し、前記制御部は、前記光起電力発生部が発生した各電力を基に、前記１もしくは複数の動作部に対して前記各電力の組み合わせに応じた特定の動作をさせる前記制御信号を出力することを特徴とする。
【００１４】
本発明に係る電子装置は、上記発明において、前記光起電力発生部で発生した電力を蓄電するための蓄電部を備えることを特徴とする。
【００１５】
本発明に係る電子装置は、上記発明において、前記動作部は、前記所定の波長成分に対応してあらかじめ設定された情報を出力する動作を行うことを特徴とする。
【００１６】
本発明に係る電子装置は、上記発明において、前記動作部は、センサを備え、前記センサは、前記制御信号によって制御されて測定対象の物性値を測定することを特徴とする。
【００１７】
本発明に係る電子装置は、上記発明において、前記動作部の前記動作の結果を記憶する記憶部を備えることを特徴とする。
【００１８】
本発明に係る電子装置は、上記発明において、前記動作の結果の情報を無線信号として送信する通信部を備えることを特徴とする。
【００１９】
本発明に係る電子装置は、上記発明において、前記通信部は、外部から要求に従って前記無線信号を送信することを特徴とする。
【００２０】
本発明に係る電子装置システムは、上記発明に記載の電子装置と、前記電子装置が出力した前記無線信号を受信する受信装置と、を備えることを特徴とする。
【発明の効果】
【００２１】
本発明によれば、確実に所定の動作を行うように制御することができるという効果を奏する。
【図面の簡単な説明】
【００２２】
【図１】図１は、実施の形態１に係る測定システムの使用態様を説明する図である。
【図２】図２は、図１に示す測定装置および受信装置の構成を示すブロック図である。
【図３】図３は、図２に示す光学フィルタ、光電変換部、および電流電圧変換部の構成を示すブロック図である。
【図４】図４は、図３に示す光学フィルタの透過スペクトルを示す図である。
【図５】図５は、図２に示す電流電圧変換部、センサ制御部、およびセンサ部の構成を示すブロック図である。
【図６】図６は、図２に示す光起電力発生部の構成の一例を示す模式図である。
【図７】図７は、実施の形態２に係る電子装置システムの使用態様を説明する図である。
【図８】図８は、図７に示す電子装置および受信装置の構成を示すブロック図である。
【図９】図９は、図８に示す電流電圧変換部、制御部の構成を示すブロック図である。
【図１０】図１０は、実施の形態３に係る電子装置の構成を示すブロック図である。
【図１１】図１１は、図１０に示す光起電力発生部、制御部の構成を示すブロック図である。
【発明を実施するための形態】
【００２３】
以下に、図面を参照して本発明に係る電子装置および電子装置システムの実施の形態を詳細に説明する。なお、この実施の形態によりこの発明が限定されるものではない。また、各図面において、同一または対応する要素には適宜同一の符号を付している。
【００２４】
（実施の形態１）
図１は、本発明の実施の形態１に係る測定システムの使用態様を説明する図である。この測定システム１００は、トンネルＴ内の温度および湿度を測定するための電子装置システムである。
【００２５】
測定システム１００は、トンネルＴ内の壁に設置される複数の電子装置である測定装置１０としてのセンサと、受信装置３０とを備えている。受信装置３０は、データ送受信部３１としての受信機と、データ表示部３２としてのパーソナルコンピュータ（ＰＣ）を備えている。
【００２６】
図２は、図１に示す測定装置１０および受信装置３０の構成を示すブロック図である。図２に示すように、測定装置１０は、光選択部としての光学フィルタ１１と、光電変換部１２と、電流電圧変換部１３と、制御部としてのセンサ制御部１４と、動作部としてのセンサ部１５と、光起電力発生部１６と、電力安定部１７と、蓄電部１８と、マイコン制御部１９と、データ変調部２０と、データ通信部２１と、を備えている。
【００２７】
図３は、光学フィルタ１１、光電変換部１２、および電流電圧変換部１３の構成を示すブロック図である。図４は、光学フィルタ１１の透過スペクトルを示す図である。光学フィルタ１１は、透過スペクトルＳＢを有する光学フィルタ１１Ｂと、透過スペクトルＳＧを有する光学フィルタ１１Ｇと、透過スペクトルＳＲを有する光学フィルタ１１Ｒと、を備えている。
【００２８】
光学フィルタ１１Ｂは、透過波長帯の中心波長が約４４０ｎｍである透過スペクトルＳＢを有し、図３に示すように、光Ｌが入力されると、光Ｌに含まれる青色の光ＬＢを選択的に透過する。光学フィルタ１１Ｇは、透過波長帯の中心波長が約５４０ｎｍである透過スペクトルＳＧを有し、光Ｌが入力されると、光Ｌに含まれる緑色の光ＬＧを選択的に透過する。光学フィルタ１１Ｒは、透過波長帯の中心波長が約６４０ｎｍである透過スペクトルＳＲを有し、光Ｌが入力されると、光Ｌに含まれる赤色の光ＬＲを選択的に透過する。
【００２９】
光電変換部１２は、フォトダイオード（ＰＤ）１２Ｂ、ＰＤ１２Ｇ、およびＰＤ１２Ｒを備えている。ＰＤ１２Ｂ、ＰＤ１２Ｇ、およびＰＤ１２Ｒは、シリコンなどの半導体材料を用いて構成されている。光学フィルタ１１Ｂ、光学フィルタ１１Ｇ、および光学フィルタ１１Ｒは、それぞれ、ＰＤ１２Ｂ、ＰＤ１２Ｇ、およびＰＤ１２Ｒの受光面を覆うように配置されている。ＰＤ１２Ｂ、ＰＤ１２Ｇ、およびＰＤ１２Ｒは、光学フィルタ１１Ｂ、光学フィルタ１１Ｇ、および光学フィルタ１１Ｒがそれぞれ選択的に透過した各光ＬＢ、ＬＧ、ＬＲを受光し、受光した光を電流に変換して出力する。ＰＤ１２Ｂ、ＰＤ１２Ｇ、およびＰＤ１２Ｒには、それぞれ電流ＩＢ、ＩＧ、ＩＲが流れる。
【００３０】
電流電圧変換部１３は、トランスインピーダンス回路である回路１３Ｂ、１３Ｇ、および１３Ｒを備えている。回路１３Ｂは、オペアンプＯＢ、帰還抵抗ＲＢ、および帰還コンデンサＣＢを備えている。回路１３Ｇは、オペアンプＯＧ、帰還抵抗ＲＧ、および帰還コンデンサＣＧを備えている。回路１３Ｒは、オペアンプＯＲ、帰還抵抗ＲＲ、および帰還コンデンサＣＲを備えている。回路１３Ｂ、１３Ｇ、および１３Ｒは、それぞれ、ＰＤ１２Ｂ、ＰＤ１２Ｇ、およびＰＤ１２Ｒに接続しており、ＰＤ１２Ｂ、ＰＤ１２Ｇ、およびＰＤ１２Ｒが出力した電流を電圧信号（それぞれ、Ｖｏ＿Ｂ、Ｖｏ＿Ｇ、Ｖｏ＿Ｒ）に変換する。なお、たとえば電流ＩＢの値をＩ＿Ｂ、帰還抵抗ＲＢの値をＲ＿Ｂとすると、Ｖｏ＿Ｂ＝Ｉ＿Ｂ×Ｒ＿Ｂである。
【００３１】
図５は、電流電圧変換部１３、センサ制御部１４、およびセンサ部１５の構成を示すブロック図である。センサ制御部１４は、論理回路部１４Ｌと、温度センサ制御部１４Ｃ１と、湿度センサ制御部１４Ｃ２とを備えている。論理回路部１４Ｌは、ＮＡＮＤゲート１４Ｎ１、１４Ｎ２と、ＡＮＤゲート１４Ａ１、１４Ａ２とを備えている。センサ部１５は、接触式のサーミスタや熱電対等を用いたものや、非接触式の赤外線センサ等の温度センサ１５Ｓ１と、抵抗式や容量式等の湿度センサ１５Ｓ２とを備えている。
【００３２】
ＮＡＮＤゲート１４Ｎ１は、入力側が回路１３Ｂと回路１３Ｇとに接続し、出力側がＡＮＤゲート１４Ａ１の入力側に接続している。ＮＡＮＤゲート１４Ｎ２は、入力側が回路１３Ｇと回路１３Ｒとに接続し、出力側がＡＮＤゲート１４Ａ２の入力側に接続している。
【００３３】
ＡＮＤゲート１４Ａ１は、入力側が、上述したようにＮＡＮＤゲート１４Ｎ１の出力側と、回路１３Ｒとに接続し、出力側が温度センサ制御部１４Ｃ１に接続している。ＡＮＤゲート１４Ａ２は、入力側が、上述したようにＮＡＮＤゲート１４Ｎ２の出力側と、回路１３Ｂとに接続し、出力側が湿度センサ制御部１４Ｃ２に接続している。
【００３４】
温度センサ制御部１４Ｃ１は、温度センサ１５Ｓ１に接続している。湿度センサ制御部１４Ｃ２は、湿度センサ１５Ｓ２に接続している。
【００３５】
光起電力発生部１６は、光起電力を有しており、光を受光して電力を発生することができるものであり、たとえば太陽電池や光レクテナである。
【００３６】
電力安定部１７は、光起電力発生部１６に接続している。蓄電部１８は、電力安定部１７に接続している。電力安定部１７は、ＤＣ−ＤＣコンバータ等の電圧制御器を備えており、光起電力発生部１６から入力された電力を、蓄電部１８に適する電圧の電力に変換する機能を有するものである。蓄電部１８は、リチウムイオン電池等の蓄電池を備え、電力安定部１７が変換した電力を蓄積する。また、蓄電部１８は、電流電圧変換部１３、センサ制御部１４、センサ部１５、マイコン制御部１９、データ変調部２０、およびデータ通信部２１に電力を供給する。
なお、光起電力発生部１６、電力安定部１７、蓄電部１８の代わりに商用電源等の外部電源を使用してもよい。また、バッテリー等の蓄電池のみを使用してもよい。
【００３７】
マイコン制御部１９は、マイクロコンピュータを備えている。マイコン制御部１９は、センサ部１５が出力した測定値データを受付け、所定の情報信号に変換して出力する。また、マイコン制御部１９は、センサ部１５が出力した測定値データを記憶する記憶部１９ａを備えている。データ変調部２０は、搬送波発生部と変調部とを備えている。データ変調部２０では、搬送波発生部が搬送波を発生し、変調部が、マイコン制御部１９が出力した情報信号で搬送波を変調して変調信号を生成し、出力する。データ通信部２１は、電力増幅部とアンテナとを備え、電力増幅部が変調信号を増幅し、アンテナが増幅した変調信号を無線信号ＷＳ１として外部に送信する。
【００３８】
受信装置３０を構成するデータ送受信部３１は、データ通信部２１が送信した無線信号ＷＳ１を受信する。データ表示部３２は、データ送受信部３１が受信した無線信号ＷＳ１を復調して、復調したデータをＰＣのモニタに表示する。また、データ送受信部３１は、所定の無線信号ＷＳ２を送信できるように構成されている。
【００３９】
つぎに、この測定システム１００の動作の一例について説明する。以下の例では、はじめに測定システム１００においてトンネルＴ内の温度測定値を取得する場合について説明し、つぎに湿度測定値を取得する場合について説明する。
【００４０】
まず、図１に示すように、測定システム１００が設置されたトンネルＴ内を自動車である測定用車両Ｃが移動する。測定用車両Ｃは光源Ｓ１を搭載している。光源Ｓ１は測定値取得用の光Ｌ１を出力できるように構成されている。光Ｌ１は６４０ｎｍの波長成分を含む赤色光であるとする。測定用車両Ｃは、トンネルＴ内の壁に向けて、光源Ｓ１から光Ｌ１を照射しながら移動する。光Ｌ１はトンネルＴ内の壁に設置された測定装置１０に照射される。
【００４１】
測定装置１０に所定値以上の光量の光Ｌ１が照射されると、光起電力発生部１６は、光Ｌ１を受光してたとえば直流電力である電力を発生し、電力安定部１７に出力する。電力安定部１７は、光起電力発生部１６から入力された電力を、蓄電部１８に適する電圧の電力に変換し、蓄電部１８に出力する。蓄電部１８は、電力安定部１７から入力された電力を蓄電し、センサ部１５、マイコン制御部１９、データ変調部２０、およびデータ通信部２１に電力を供給する。
【００４２】
一方、測定装置１０において、光学フィルタ１１が光Ｌ１を受光すると、光学フィルタ１１Ｒは光Ｌ１を透過するが、光学フィルタ１１Ｂ、１１Ｇは光Ｌ１を透過しない。その結果、ＰＤ１２Ｒには所定の電流値以上の電流ＩＲが流れる。その結果、回路１３Ｒは所定の電圧値以上のＨ信号である電圧信号Ｖｏ＿Ｒを出力する。一方、ＰＤ１２Ｂ、１２Ｇには電流が流れないので、回路１３Ｂ、１３Ｇはいずれも電圧値が０ＶのＬ信号である電圧信号Ｖｏ＿Ｂ、Ｖｏ＿Ｇを出力する。
【００４３】
図５に示すセンサ制御部１４に、Ｈ信号である電圧信号Ｖｏ＿Ｒ、Ｌ信号である電圧信号Ｖｏ＿Ｂ、Ｖｏ＿Ｇが入力すると、論理回路部１４Ｌの作用によって温度センサ制御部１４Ｃ１にはＨ信号である電圧信号が出力され、湿度センサ制御部１４Ｃ２にはＬ信号である電圧信号が出力される。
【００４４】
温度センサ制御部１４Ｃ１は、Ｈ信号が入力されると、蓄電部１８から電力を供給されている温度センサ１５Ｓ１に制御信号を出力する。温度センサ１５Ｓ１は制御信号が入力されると動作して設置された位置の温度を測定し、その温度に対応する温度測定値データをマイコン制御部１９に出力する。一方、湿度センサ制御部１４Ｃ２は、Ｌ信号が入力されているので、制御信号を湿度センサ１５Ｓ２へ出力することはない。このように、光源Ｓ１が温度測定値取得用の赤色の光Ｌ１を出力する場合は、温度センサ１５Ｓ１のみが動作し、湿度センサ１５Ｓ２は動作しない。
【００４５】
つぎに、光Ｌ１が、４４０ｎｍの波長成分を含む青色光であるとする。このときも、測定装置１０に所定値以上の光量の光Ｌ１が照射されると、光起電力発生部１６は、光Ｌ１を受光して電力を発生し、電力安定部１７は、光起電力発生部１６から入力された電力を変換し、蓄電部１８は、電力安定部１７から入力された電力を蓄電し、センサ部１５、マイコン制御部１９、データ変調部２０、およびデータ通信部２１に電力を供給する。
【００４６】
一方、光学フィルタ１１が光Ｌ１を受光すると、光学フィルタ１１Ｂは光Ｌ１を透過するが、光学フィルタ１１Ｇ、１１Ｒは光Ｌ１を透過しない。その結果、ＰＤ１２Ｂには所定の電流値以上の電流ＩＢが流れ、回路１３Ｂは所定の電圧値以上のＨ信号である電圧信号Ｖｏ＿Ｂを出力する。一方、ＰＤ１２Ｇ、１２Ｒには電流が流れないので、回路１３Ｇ、１３Ｒはいずれも電圧値が０ＶのＬ信号である電圧信号Ｖｏ＿Ｇ、Ｖｏ＿Ｒを出力する。
【００４７】
センサ制御部１４に、Ｈ信号である電圧信号Ｖｏ＿Ｂ、Ｌ信号である電圧信号Ｖｏ＿Ｇ、Ｖｏ＿Ｒが入力すると、論理回路部１４Ｌの作用によって湿度センサ制御部１４Ｃ２にはＨ信号である電圧信号が出力され、温度センサ制御部１４Ｃ１にはＬ信号である電圧信号が出力される。
【００４８】
湿度センサ制御部１４Ｃ２は、Ｈ信号が入力されると、蓄電部１８から電力を供給されている湿度センサ１５Ｓ２に制御信号を出力する。湿度センサ１５Ｓ２は制御信号が入力されると動作して設置された位置の湿度を測定し、その湿度に対応する湿度測定値データをマイコン制御部１９に出力する。一方、温度センサ制御部１４Ｃ１は、Ｌ信号が入力されているので、制御信号を温度センサ１５Ｓ１へ出力することはない。このように、光源Ｓ１が湿度測定値取得用の青色の光Ｌ１を出力する場合は、湿度センサ１５Ｓ２のみが動作し、温度センサ１５Ｓ１は動作しない。
【００４９】
つぎに、測定装置１０に白熱灯の光や太陽光などの白色光が入射されるとする。このときも、測定装置１０に所定値以上の光量の白色光が照射されると、測定装置１０において、光起電力発生部１６は、白色光を受光して電力を発生し、電力安定部１７は、光起電力発生部１６から入力された電力を変換し、蓄電部１８は、電力安定部１７から入力された電力を蓄電し、センサ部１５、マイコン制御部１９、データ変調部２０、およびデータ通信部２１に電力を供給する。
【００５０】
一方、光学フィルタ１１が白色光を受光すると、光学フィルタ１１Ｂ、１１Ｇ、１１Ｒのいずれも、白色光に含まれる各透過波長成分の光を透過する。その結果、ＰＤ１２Ｂ、１２Ｇ、１２Ｒのいずれにも電流ＩＢ、ＩＧ、ＩＲが流れ、回路１３Ｂ、１３Ｇ、１３ＲはいずれもＨ信号である電圧信号Ｖｏ＿Ｂ、Ｖｏ＿Ｇ、Ｖｏ＿Ｒを出力する。このとき、センサ制御部１４では、論理回路部１４Ｌの作用によって、温度センサ制御部１４Ｃ１、湿度センサ制御部１４Ｃ２のいずれにもＬ信号である電圧信号が出力される。その結果、温度センサ１５Ｓ１、湿度センサ１５Ｓ２のいずれも動作しない。同様に、光Ｌ１が、５４０ｎｍの波長成分を含む緑色光である場合も、温度センサ１５Ｓ１、湿度センサ１５Ｓ２のいずれも動作しない。
【００５１】
以上のように、測定システム１００では、光源Ｓ１が照射する測定値取得用の光Ｌ１が赤色光であるときには温度センサ１５Ｓ１のみが動作して温度取得し、青色光であるときには湿度センサ１５Ｓ２のみが動作して湿度取得する。しかしながら、測定システム１００では、白熱灯の光や太陽光などの、外部環境からの光に多い白色光が入射されたとしても、温度センサ１５Ｓ１、湿度センサ１５Ｓ２のいずれも動作しない。したがって、測定システム１００は、外部環境からの光などによって誤動作することが抑制されたものである。すなわち、測定システム１００は、確実に所定の動作を行うように制御することができる測定システムである。また、測定システム１００では、測定装置１０は光起電力による電力を利用して動作するので、十分な量のワイヤレス給電を行うことができる。
【００５２】
その後、測定システム１００において、マイコン制御部１９は、温度センサ１５Ｓ１または湿度センサ１５Ｓ２がマイコン制御部１９に出力した測定値データ（温度測定値データまたは湿度測定値データ）を受付け、所定の情報信号に変換して出力する。なお、マイコン制御部１９は、センサ部１５が出力した測定値データを測定動作の結果として記憶部１９ａに一時記憶してもよい。データ変調部２０では、変調部が、搬送波発生部で発生させた搬送波を、マイコン制御部１９が出力した情報信号で変調して変調信号を生成し、出力する。データ通信部２１では、電力増幅部が変調信号を増幅し、アンテナが、増幅した変調信号を無線信号ＷＳ１として外部に送信する。
【００５３】
以上の物性値の測定から無線信号ＷＳ１の送信までの動作は、光Ｌ１が照射された各測定装置１０にて行われる。
【００５４】
つぎに、受信装置３０では、各測定装置１０のデータ通信部２１が送信した無線信号ＷＳ１を受信する。データ表示部３２は、データ送受信部３１が受信した無線信号ＷＳ１を復調して、復調したデータをＰＣのモニタに表示する。以上のようにして、測定システム１００は、トンネルＴ内の温度または湿度の測定値を取得することができる。
【００５５】
なお、マイコン制御部１９が測定値データを記憶部１９ａに一時記憶しておき、データ送受信部３１からデータ送信を要求する無線信号ＷＳ２が送信された場合に無線信号ＷＳ１を送信するようにしてもよい。
【００５６】
また、上記実施の形態１では、測定値取得用の光Ｌ１を出力する光源Ｓ１は、自動車である測定用車両Ｃに搭載されているが、たとえば電車用のトンネルに測定システム１００を設置する場合には、電車である測定用車両に光源Ｓ１を搭載してもよい。また、光源Ｓ１は車両に搭載して移動するものに限定されない。たとえば、光源Ｓ１は作業者が手持ちで搬送するものでもよい。
【００５７】
また、上記実施の形態１では、センサは温度センサおよび湿度センサであるが、測定対象の物性値を測定するセンサであれば特に限定されず、たとえば歪センサ、圧力センサ、磁気センサ、ガス濃度センサ、または放射線センサなどでもよい。また、センサの数も２つに限られず、１または複数であればよい。また、センサ制御部は、センサの数や種類に応じて、光電変換部が変換した各電流の組み合わせに応じた特定のセンサを制御する制御信号を出力するように、適宜構成することができる。
【００５８】
また、図６は、図２に示す光起電力発生部１６の構成の一例を示す模式図である。光起電力発生部１６は、太陽電池パネル１６ａを備えており、測定装置１０の本体１０ａと電力線で接続されている。ここで、太陽電池パネル１６ａは、測定用車両Ｃの移動方向Ｄ１に沿って延伸する形状を有している。その結果、測定用車両Ｃが光Ｌ１をトンネルＴ内の壁に向けて照射しながら移動したときに、太陽電池パネル１６ａはより長い時間だけ光Ｌ１を受光できるので、光起電力発生部１６はより多くの電力を発生することができる。
【００５９】
（実施の形態２）
図７は、本発明の実施の形態２に係る電子装置システムの使用態様を説明する図である。この電子装置システム２００は、荷物Ｂの識別情報および流通情報を送受信するためのシステムである。
【００６０】
電子装置システム２００は、荷物（パレットやコンテナ）Ｂに取り付けられる電子装置２１０としてのタグと、通信装置２３０とを備えている。通信装置２３０は、携帯可能なリーダであって、光源Ｓ２と、データ送受信部２３１としての受信機と、データ表示部２３２としての表示画面とを備えている。
【００６１】
図８は、図７に示す電子装置２１０および受信装置２３０の構成を示すブロック図である。図８に示すように、電子装置２１０は、光選択部としての光学フィルタ２１１と、光電変換部２１２と、電流電圧変換部２１３と、制御部２１４と、光起電力発生部２１６と、電力安定部２１７と、蓄電部２１８と、マイコン制御部２１９と、データ変調部２２０と、データ通信部２２１と、を備えている。マイコン制御部２１９と、データ変調部２２０と、データ通信部２２１とは動作部を構成している。
【００６２】
光学フィルタ２１１と、光電変換部２１２と、電流電圧変換部２１３とは、実施の形態１と同一の構成であってよい。すなわち、光学フィルタ２１１は、３つの光学フィルタが、それぞれ対応する波長の光を選択的に透過させる。本実施の形態２において、図３の光ＬＢを選択的に透過する光学フィルタを光学フィルタ２１１Ｂ、光ＬＧを選択的に透過する光学フィルタを光学フィルタ２１１Ｇ、光ＬＲを選択的に透過する光学フィルタを光学フィルタ２１１Ｒとする（図９参照）。光電変換部２１２は、光学フィルタ２１１の各光学フィルタに対応する３つのフォトダイオードで受光し、受光した光を電流に変換して出力する。電流電圧変換部２１３は、光電変換部２１２から入力された３つ電流を３つの電圧信号に変換する。
【００６３】
図９は、電流電圧変換部２１３、制御部２１４の構成を示すブロック図である。まず、制御部２１４は、電流電圧変換部２１３から電圧信号を入力される。制御部２１４は、論理回路部２１４Ｌと、第１制御部２１４Ｃ１と、第２制御部２１４Ｃ２とを備えている。論理回路部２１４Ｌは、ＮＡＮＤゲート２１４Ｎ１、２１４Ｎ２と、ＡＮＤゲート２１４Ａ１、２１４Ａ２とを備えている。
【００６４】
ＮＡＮＤゲート２１４Ｎ１は、入力側が回路２１３Ｂと回路２１３Ｇとに接続し、出力側がＡＮＤゲート２１４Ａ１の入力側に接続している。ＮＡＮＤゲート２１４Ｎ２は、入力側が回路２１３Ｇと回路２１３Ｒとに接続し、出力側がＡＮＤゲート２１４Ａ２の入力側に接続している。
【００６５】
ＡＮＤゲート２１４Ａ１は、入力側が、上述したようにＮＡＮＤゲート２１４Ｎ１の出力側と、回路２１３Ｒとに接続し、出力側が第１制御部２１４Ｃ１に接続している。ＡＮＤゲート２１４Ａ２は、入力側が、上述したようにＮＡＮＤゲート２１４Ｎ２の出力側と、回路２１３Ｂとに接続し、出力側が第２制御部２１４Ｃ２に接続している。
【００６６】
第１制御部２１４Ｃ１は、所定の電圧信号が入力されると制御信号Ｖ１を出力する。第２制御部２１４Ｃ２は、所定の電圧信号が入力されると制御信号Ｖ２を出力する。
【００６７】
光起電力発生部２１６と、電力安定部２１７と、蓄電部２１８とは、実施の形態１と同一の構成であってよい。すなわち、光起電力発生部２１６は、光を受光して電力を発生する。電力安定部２１７は、光起電力発生部２１６から入力された電力を、蓄電部２１８に適する電圧の電力に変換する。蓄電部２１８は、電力安定部２１７が変換した電力を蓄積する。また、蓄電部２１８は、マイコン制御部２１９、データ変調部２２０、およびデータ通信部２２１に電力を供給する。
【００６８】
マイコン制御部２１９は、マイクロコンピュータを備えている。また、マイコン制御部２１９は、荷物Ｂのシリアル番号およびトレーサビリティに関する情報を記憶する記憶部２１９ａを備えている。マイコン制御部２１９は、制御部２１４が出力した制御信号を受付け、所定の情報信号に変換して出力する。すなわち、制御部２１４から入力される制御信号が、制御信号Ｖ１である場合、荷物Ｂのシリアル番号を出力し、制御部２１４から入力される制御信号が、制御信号Ｖ２である場合、荷物Ｂのトレーサビリティに関する情報を出力する。つまり、マイコン制御部２１９は、あらかじめ設定された所定の波長成分に対応する制御信号を入力され、所定の情報を出力する。
【００６９】
データ変調部２２０と、データ通信部２２１とは、実施の形態１と同一の構成であってよい。すなわち、データ変調部２２０は、搬送波発生部が搬送波を発生し、変調部が、マイコン制御部２１９が出力した情報信号で搬送波を変調して変調信号を生成し、出力する。データ通信部２２１は、電力増幅部とアンテナとを備え、電力増幅部が変調信号を増幅し、アンテナが増幅した変調信号を無線信号ＷＳ３として外部に送信する。
【００７０】
通信装置２３０を構成するデータ送受信部２３１は、データ通信部２２１が送信した無線信号ＷＳ３を受信する。データ表示部２３２は、データ送受信部２３１が受信した無線信号ＷＳ３を復調して、復調したデータを表示画面に表示する。また、データ送受信部２３１は、所定の無線信号ＷＳ４を送信できるように構成されている。
【００７１】
つぎに、この電子装置システム２００の動作の一例について説明する。以下の例では、はじめに電子装置システム２００において荷物Ｂからシリアル番号を取得する場合について説明し、つぎに荷物Ｂからトレーサビリティに関する情報を取得する場合について説明する。
【００７２】
まず、図７に示すように、荷物Ｂに取り付けられた電子装置２１０に、通信装置２３０を向ける。受信装置２３０は光源Ｓ２を備える。光源Ｓ２は情報取得用の光Ｌ２を出力できるように構成されている。光Ｌ２は６４０ｎｍの波長成分を含む赤色光であるとする。通信装置２３０は、電子装置２１０に向けて、光源Ｓ２から光Ｌ２を照射する。
【００７３】
電子装置２１０に所定値以上の光量の光Ｌ２が照射されると、光起電力発生部２１６は、光Ｌ２を受光してたとえば直流電力である電力を発生し、電力安定部２１７に出力する。電力安定部２１７は、光起電力発生部２１６から入力された電力を、蓄電部２１８に適する電圧の電力に変換し、蓄電部２１８に出力する。蓄電部２１８は、電力安定部２１７から入力された電力を蓄電し、マイコン制御部２１９、データ変調部２２０、およびデータ通信部２２１に電力を供給する。
【００７４】
一方、電子装置２１０において、光学フィルタ２１１が光Ｌ２を受光すると、光学フィルタ２１１Ｒは光Ｌ２を透過するが、光学フィルタ２１１Ｂ、２１１Ｇは光Ｌ２を透過しない。その結果、光電変換部２１２の光学フィルタ２１１Ｒに対応するフォトダイオードには所定の電流値以上の電流が流れる。その結果、回路２１３Ｒは所定の電圧値以上のＨ信号である電圧信号を出力する。一方、光電変換部２１２の光学フィルタ２１１Ｂ、２１１Ｇに対応するフォトダイオードには電流が流れないので、回路２１３Ｂ、２１３Ｇはいずれも電圧値が０ＶのＬ信号である電圧信号を出力する。
【００７５】
図９に示す制御部２１４に、Ｈ信号、Ｌ信号が入力すると、論理回路部２１４Ｌの作用によって第１制御部２１４Ｃ１にはＨ信号が出力され、第２制御部２１４Ｃ２にはＬ信号が出力される。
【００７６】
第１制御部２１４Ｃ１は、Ｈ信号が入力されると、制御信号Ｖ１をマイコン制御部２１９に出力する。一方、第２制御部２１４Ｃ２は、Ｌ信号が入力されているので、制御信号をマイコン制御部２１９に出力することはない。マイコン制御部２１９は、制御部２１４から制御信号Ｖ１が入力されると、荷物Ｂのシリアル番号の情報を含む情報信号を出力する。このように、光源Ｓ２がシリアル番号取得用の赤色の光Ｌ２を出力する場合は、第１制御部２１４Ｃ１のみが制御信号Ｖ１を出力し、第２制御部２１４Ｃ２は制御信号を出力しない。これにより、マイコン制御部２１９は、荷物Ｂのシリアル番号を出力する。
【００７７】
つぎに、光Ｌ２が、４４０ｎｍの波長成分を含む青色光であるとする。このときも、電子装置２１０に所定値以上の光量の光Ｌ２が照射されると、光起電力発生部２１６は、光Ｌ２を受光して電力を発生し、電力安定部２１７は、光起電力発生部２１６から入力された電力を変換し、蓄電部２１８は、電力安定部２１７から入力された電力を蓄電し、マイコン制御部２１９、データ変調部２２０、およびデータ通信部２２１に電力を供給する。
【００７８】
一方、光学フィルタ２１１が光Ｌ２を受光すると、光学フィルタ２１１Ｂは光Ｌ２を透過するが、光学フィルタ２１１Ｇ、２１１Ｒは光Ｌ２を透過しない。その結果、光電変換部２１２の光学フィルタ２１１Ｂに対応するフォトダイオードには所定の電流値以上の電流が流れ、回路２１３ＢはＨ信号を出力する。一方、光電変換部２１２の光学フィルタ２１１Ｇ、２１１Ｒに対応するフォトダイオードには電流が流れないので、回路２１３Ｇ、２１３ＲはいずれもＬ信号を出力する。
【００７９】
制御部２１４に、Ｈ信号、Ｌ信号が入力すると、論理回路部２１４Ｌの作用によって第２制御部２１４Ｃ２にはＨ信号が出力され、第１制御部２１４Ｃ１にはＬ信号が出力される。
【００８０】
第２制御部２１４Ｃ２は、Ｈ信号が入力されると、制御信号Ｖ２をマイコン制御部２１９に出力する。一方、第１制御部２１４Ｃ１は、Ｌ信号が入力されているので、制御信号をマイコン制御部２１９に出力することはない。マイコン制御部２１９は、制御部２１４から制御信号Ｖ２が入力されると、荷物Ｂのトレーサビリティに関する情報を含む情報信号を出力する。このように、光源Ｓ２がトレーサビリティ取得用の青色の光Ｌ２を出力する場合は、第２制御部２１４Ｃ２のみが制御信号Ｖ２を出力し、第１制御部２１４Ｃ１は制御信号を出力しない。これにより、マイコン制御部２１９は、荷物Ｂのトレーサビリティに関する情報を出力する。
【００８１】
つぎに、電子装置２１０に白熱灯の光や太陽光などの白色光が入射されるとする。このときも、電子装置２１０に所定値以上の光量の白色光が照射されると、電子装置２１０において、光起電力発生部２１６は、白色光を受光して電力を発生し、電力安定部２１７は、光起電力発生部２１６から入力された電力を変換し、蓄電部２１８は、電力安定部２１７から入力された電力を蓄電し、マイコン制御部２１９、データ変調部２２０、およびデータ通信部２２１に電力を供給する。
【００８２】
一方、光学フィルタ２１１が白色光を受光すると、光学フィルタ２１１Ｂ、２１１Ｇ、２１１Ｒのいずれも、白色光に含まれる各透過波長成分の光を透過する。その結果、光電変換部２１２の３つのフォトダイオードのいずれにも電流が流れ、回路２１３Ｂ、２１３Ｇ、２１３ＲはいずれもＨ信号を出力する。このとき、制御部２１４では、論理回路部２１４Ｌの作用によって、第１制御部２１４Ｃ１、第２制御部２１４Ｃ２のいずれにもＬ信号が出力される。その結果、第１制御部２１４Ｃ１、第２制御部２１４Ｃ２のいずれも制御信号を出力しない。同様に、光Ｌ２が、５４０ｎｍの波長成分を含む緑色光である場合も、第１制御部２１４Ｃ１、第２制御部２１４Ｃ２のいずれも制御信号を出力しない。マイコン制御部２１９は、制御部２１４から制御信号を入力されないので、情報信号を出力しない。
【００８３】
以上のように、電子装置システム２００では、光源Ｓ２が照射する情報取得用の光Ｌ２が赤色光であるときには第１制御部２１４Ｃ１のみが制御信号Ｖ１を出力してマイコン制御部２１９が荷物Ｂのシリアル番号の情報を含む情報信号を出力し、青色光であるときには第２制御部２１４Ｃ２のみが制御信号Ｖ２を出力してマイコン制御部２１９が荷物Ｂのトレーサビリティに関する情報を含む情報信号を出力する。しかしながら、電子装置システム２００では、白熱灯の光や太陽光などの、外部環境からの光に多い白色光が入射されたとしても、第１制御部２１４Ｃ１、第２制御部２１４Ｃ２のいずれも制御信号を出力しない。すなわち、マイコン制御部２１９は、情報信号を出力しない。したがって、電子装置システム２００は、外部環境からの光などによって誤動作することが抑制されたものである。すなわち、電子装置システム２００は、確実に所定の動作を行うように制御することができるシステムである。また、電子装置システム２００では、電子装置２１０は光起電力による電力を利用して動作するので、十分な量のワイヤレス給電を行うことができる。
【００８４】
その後、電子装置システム２００において、データ変調部２２０では、変調部が、搬送波発生部で発生させた搬送波を、マイコン制御部２１９が出力した情報信号で変調して変調信号を生成し、出力する。データ通信部２２１では、電力増幅部が変調信号を増幅し、アンテナが、増幅した変調信号を無線信号ＷＳ３として外部に送信する。
【００８５】
つぎに、通信装置２３０では、電子装置２１０のデータ通信部２２１が送信した無線信号ＷＳ３を受信する。データ表示部２３２は、データ送受信部２３１が受信した無線信号ＷＳ３を復調して、復調したデータを表示画面に表示する。以上のようにして、電子装置システム２００により、荷物Ｂのシリアル番号またはトレーサビリティに関する情報を取得することができる。すなわち、電子装置２１０は、あらかじめ設定された所定の波長成分に対応する値を出力することができる。
【００８６】
なお、マイコン制御部２１９がトレーサビリティに関する情報を記憶部２１９ａに一時記憶しておき、データ送受信部２３１からデータ送信を要求する無線信号ＷＳ４が送信された場合に無線信号ＷＳ３を送信するようにしてもよい。
【００８７】
また、上記実施の形態２では、電子装置は荷物のシリアル番号または荷物のトレーサビリティに関する情報を出力するが、出力する情報は特に限定されず、たとえば荷物の配送先に関する情報や、荷物の内容物に関する情報などでもよい。これにより、複数ある荷物から、ある配送先に配送すべき荷物を識別したり、内容物が壊れ物である荷物を識別したりすることが、誤作動なく確実行うことができる。また、出力する情報の数も２つに限られず、１または複数であればよい。これにより、ひとつの場所に多くのタグ（電子装置）が置かれていた場合でも、それら一つ一つを対応させながら識別することができる。また、制御部２１４は、出力する情報の数や種類に応じて、光電変換部が変換した各電流の組み合わせに応じた特定の動作をさせる制御信号を出力するように、適宜構成することができる。
【００８８】
（実施の形態３）
上記実施の形態２に係る電子装置２１０では、制御部２１４は、光電変換部２１２が変換した電流を基に制御信号を出力するように動作するが、電子装置の構成はこれに限られない。たとえば、以下の実施の形態３に係る電子装置のように、光起電力発生部が、光選択部が選択した光を受光して電力を発生し、制御部が、光起電力発生部が発生した電力を供給されて制御信号を出力するように構成した電子装置を、電子装置２１０に代えて用いてもよい。
【００８９】
図１０は、実施の形態３に係る電子装置の構成を示すブロック図である。図１０に示す電子装置２１０Ａは、電子装置２１０において、光電変換部２１２を光起電力発生部２１６Ａに置き換え、制御部２１４を制御部２１４Ａに置き換え、かつ光起電力発生部２１６および電流電圧変換部２１３を削除した構成を有する。
【００９０】
図１１は、光起電力発生部２１６Ａ、制御部２１４Ａの構成を示すブロック図である。光起電力発生部２１６Ａは、光起電力発生部２１６ＡＢ、２１６ＡＧ、２１６ＡＲを備えている。光起電力発生部２１６ＡＢ、２１６ＡＧ、２１６ＡＲは、それぞれが光を受光して電力を発生することができるものである。
【００９１】
制御部２１４Ａは、電圧信号発生部２１４ＶＢ、２１４ＶＧ、２１４ＶＲを備え、かつ制御回路２１４と同様に、論理回路部２１４Ｌと、第１制御部２１４Ｃ１と、第２制御部２１４Ｃ２とを備えている。論理回路部２１４Ｌは、ＮＡＮＤゲート２１４Ｎ１、２１４Ｎ２と、ＡＮＤゲート２１４Ａ１、２１４Ａ２とを備えている。
【００９２】
電圧信号発生部２１４ＶＢ、２１４ＶＧ、２１４ＶＲは、それぞれ、光起電力発生部２１６ＡＢ、２１６ＡＧ、２１６ＡＲに接続している。
【００９３】
ＮＡＮＤゲート２１４Ｎ１は、入力側が電圧信号発生部２１４ＶＢと電圧信号発生部２１４ＶＧとに接続し、出力側がＡＮＤゲート２１４Ａ１の入力側に接続している。ＮＡＮＤゲート２１４Ｎ２は、入力側が電圧信号発生部２１４ＶＧと電圧信号発生部２１４ＶＲとに接続し、出力側がＡＮＤゲート２１４Ａ２の入力側に接続している。
【００９４】
ＡＮＤゲート２１４Ａ１は、入力側が、上述したようにＮＡＮＤゲート２１４Ｎ１の出力側と、電圧信号発生部２１４ＶＲとに接続し、出力側が第１制御部２１４Ｃ１に接続している。ＡＮＤゲート２１４Ａ２は、入力側が、上述したようにＮＡＮＤゲート２１４Ｎ２の出力側と、電圧信号発生部２１４ＶＢとに接続し、出力側が第２制御部２１４Ｃ２に接続している。
【００９５】
ここで、光Ｌ２は６４０ｎｍの波長成分を含む赤色光であるとする。このとき、電子装置２１０Ａにおいて、光学フィルタ２１１が光Ｌ２を受光すると、光学フィルタ２１１Ｒ（図１１参照）は光Ｌ２を透過するが、光学フィルタ２１１Ｂ、２１１Ｇは光Ｌ２を透過しない。その結果、光起電力発生部２１６Ａの光学フィルタ２１１Ｒに対応する光起電力発生部２１６ＡＲは光Ｌ２を受光してたとえば直流電力である電力を発生し、電力安定部２１７および電圧信号発生部２１４ＶＲに出力する。その結果、電圧信号発生部２１４ＶＲは、光起電力発生部２１６ＡＲから電力を供給されて、Ｈ信号を出力する。一方、光起電力発生部２１６Ａの光学フィルタ２１１Ｂ、２１１Ｇに対応する光起電力発生部２１６ＡＢ、２１６ＡＧには電流が流れないので、電圧信号発生部２１４ＶＢ、２１４ＶＧはいずれもＬ信号を出力する。この場合、電子装置２１０の場合と同様に、論理回路部２１４Ｌの作用によって第１制御部２１４Ｃ１にはＨ信号が出力され、第２制御部２１４Ｃ２にはＬ信号が出力される。
【００９６】
第１制御部２１４Ｃ１は、Ｈ信号が入力されると、制御信号Ｖ１をマイコン制御部２１９に出力する。一方、第２制御部２１４Ｃ２は、Ｌ信号が入力されているので、制御信号をマイコン制御部２１９に出力することはない。マイコン制御部２１９は、制御部２１４から制御信号Ｖ１が入力されると、荷物Ｂのシリアル番号の情報を含む情報信号を出力する。このように、光源Ｓ２がシリアル番号取得用の赤色の光Ｌ２を出力する場合は、第１制御部２１４Ｃ１のみが制御信号Ｖ１を出力し、第２制御部２１４Ｃ２は制御信号を出力しない。これにより、マイコン制御部２１９は、荷物Ｂのシリアル番号を出力する。
【００９７】
つぎに、光Ｌ２が、４４０ｎｍの波長成分を含む青色光であるとする。このときも、電子装置２１０Ａに所定値以上の光量の光Ｌ２が照射され、光学フィルタ２１１が光Ｌ２を受光すると、光学フィルタ２１１Ｂは光Ｌ２を透過するが、光学フィルタ２１１Ｇ、２１１Ｒは光Ｌ２を透過しない。その結果、光起電力発生部２１６Ａの光学フィルタ２１１Ｂに対応する光起電力発生部２１６ＡＢは電力を発生し、さらに電圧信号発生部２１４ＶＢは光起電力発生部２１６ＡＢから電力を供給されて、Ｈ信号を出力する。一方、光電変換部２１２の光学フィルタ２１１Ｇ、２１１Ｒに対応するフォトダイオードには電流が流れないので、電圧信号発生部２１４ＶＧ、２１４ＶＲはいずれもＬ信号を出力する。この場合、電子装置２１０の場合と同様に、論理回路部２１４Ｌの作用によって第２制御部２１４Ｃ２にはＨ信号が出力され、第１制御部２１４Ｃ１にはＬ信号が出力される。
【００９８】
第２制御部２１４Ｃ２は、Ｈ信号が入力されると、制御信号Ｖ２をマイコン制御部２１９に出力する。一方、第１制御部２１４Ｃ１は、Ｌ信号が入力されているので、制御信号をマイコン制御部２１９に出力することはない。マイコン制御部２１９は、制御部２１４から制御信号Ｖ２が入力されると、荷物Ｂのトレーサビリティに関する情報を含む情報信号を出力する。このように、光源Ｓ２がトレーサビリティ取得用の青色の光Ｌ２を出力する場合は、第２制御部２１４Ｃ２のみが制御信号Ｖ２を出力し、第１制御部２１４Ｃ１は制御信号を出力しない。これにより、マイコン制御部２１９は、荷物Ｂのトレーサビリティに関する情報を出力する。
【００９９】
一方、光学フィルタ２１１が白色光を受光すると、電子装置２１０の場合と同様に、第１制御部２１４Ｃ１、第２制御部２１４Ｃ２のいずれも制御信号を出力しない。同様に、光Ｌ２が、５４０ｎｍの波長成分を含む緑色光である場合も、第１制御部２１４Ｃ１、第２制御部２１４Ｃ２のいずれも制御信号を出力しない。マイコン制御部２１９は、制御部２１４から制御信号を入力されないので、情報信号を出力しない。
【０１００】
したがって、電子装置システム２００において、電子装置２１０に代えて電子装置２１０Ａを用いても、確実に所定の動作を行うように制御することができるシステムである。また、電子装置２１０Ａは光起電力による電力を利用して動作するので、十分な量のワイヤレス給電を行うことができる。
【０１０１】
また、制御部２１４Ａは、出力する情報の数や種類に応じて、光起電力発生部が発生した各電力の組み合わせに応じた特定の動作をさせる制御信号を出力するように、適宜構成することができる。
【０１０２】
なお、上記実施の形態において、光選択部に入力する光は、赤、緑、青に対応する波長の光に限られず、光選択部によって選択できる波長であればよい。したがって、入力光はたとえば赤外光や紫外光でもよい。また、光選択部に入力する光はマイクロ波以下の周波数の電磁波であってもよいが、マイクロ波より周波数の高い、より好ましくは可視光以上の周波数の光を入力することにより、より十分な量のワイヤレス給電を行うことができる。また、光選択部は、所定の波長成分の光を選択的に透過する光学フィルタに限られず、所定の波長成分の光を選択的に反射する光学フィルタでもよいし、プリズムや回折格子などの分光素子でもよい。
【０１０３】
また、上記実施の形態において、動作部が動作するために必要な電力は、光起電力発生部により供給された電力を用いたが、必ずしも動作部が必要とする電力のすべてを光起電力発生部が供給する電力で賄う必要はない。たとえば、動作部は、光起電力発生部により供給された電力により動作を開始し、動作部のその後またはその他の動作に必要な電力は外部の電源または内部の別の電源から供給されてもよい。
【０１０４】
また、上記実施の形態３においても、上記実施の形態２同様、電子装置は荷物のシリアル番号または荷物のトレーサビリティに関する情報を出力するが、出力する情報は特に限定されず、たとえば荷物の配送先に関する情報や、荷物の内容物に関する情報などでもよい。また、出力する情報の数も２つに限られず、１または複数であればよい。これにより、ひとつの場所に多くのタグ（電子装置）が置かれていた場合でも、それら一つ一つを対応させながら識別することができる。また、制御部２１４Ａは、出力する情報の数や種類に応じて、光電変換部が変換した各電流の組み合わせに応じた特定の動作をさせる制御信号を出力するように、適宜構成することができる。
【０１０５】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【０１０６】
１０  測定装置
１０ａ  本体
１１、１１Ｂ、１１Ｇ、１１Ｒ、２１１、２１１Ｂ、２１１Ｇ、２１１Ｒ、  光学フィルタ
１２、２１２  光電変換部  １３、２１３  電流電圧変換部
１３Ｂ、１３Ｇ、１３Ｒ、２１３Ｂ、２１３Ｇ、２１３Ｒ  回路
１４  センサ制御部
１４Ａ１、１４Ａ２、２１４Ａ１、２１４Ａ２  ＡＮＤゲート
１４Ｃ１  温度センサ制御部
１４Ｃ２  湿度センサ制御部
１４Ｌ、２１４Ｌ  論理回路部
１４Ｎ１、１４Ｎ２、２１４Ｎ１、２１４Ｎ２  ＮＡＮＤゲート
１５  センサ部
１５Ｓ１  温度センサ
１５Ｓ２  湿度センサ
１６、２１６、２１６Ａ、２１６ＡＢ、２１６ＡＧ、２１６ＡＲ  光起電力発生部
１６ａ  太陽電池パネル
１７、２１７  電力安定部
１８、２１８  蓄電部
１９、２１９  マイコン制御部
１９ａ、２１９ａ  記憶部
２０、２２０  データ変調部
２１、２２１  データ通信部
３０  受信装置
３１、２３１  データ送受信部
３２、２３２  データ表示部
１００  測定システム
２００  電子装置システム
２１０、２１０Ａ  電子装置
２１４、２１４Ａ  制御部
２１４Ｃ１  第１制御部
２１４Ｃ２  第２制御部
２１４ＶＢ、２１４ＶＧ、２１４ＶＲ  電圧信号発生部
２３０  通信装置
Ｂ  荷物
Ｃ  測定用車両
ＣＢ、ＣＧ、ＣＲ  帰還コンデンサ
Ｄ１  移動方向
ＩＢ、ＩＧ、ＩＲ  電流
Ｌ、Ｌ１、Ｌ２、ＬＢ、ＬＧ、ＬＲ  光
ＯＢ、ＯＧ、ＯＲ  オペアンプ
ＲＢ、ＲＧ、ＲＲ  帰還抵抗
Ｓ１、Ｓ２  光源
ＳＢ、ＳＧ、ＳＲ  透過スペクトル
Ｔ  トンネル
ＷＳ１、ＷＳ２、ＷＳ３、ＷＳ４  無線信号
【図１】
2015152495.tif 000003
【図２】
2015152495.tif 000004
【図３】
2015152495.tif 000005
【図４】
2015152495.tif 000006
【図５】
2015152495.tif 000007
【図６】
2015152495.tif 000008
【図７】
2015152495.tif 000009
【図８】
2015152495.tif 000010
【図９】
2015152495.tif 000011
【図１０】
2015152495.tif 000012
【図１１】
2015152495.tif 000013